(57)【要約】【課題】ワームの「ずれ」を確実に防止することによって釣果を飛躍的に高めることのできるワーム用釣り針を提供する。【解決手段】ワーム用釣り針１０では、釣り糸が結着される結着部１４と針先１６との間に、軸１８と、腰曲がり２０と、底ささえ２２と、先曲がり２４とが形成されており、結着部１４の近傍には、軸１８を２段階に曲げることによって係止部２６が形成されており、係止部２６にワーム１２の一方端部が係止され、底ささえ２２または先曲がり２４にワーム１２の中央部または他方端部が係止される。そして、結着部１４から係止部２６の１段目の曲がり部３２へ向かう方向ａと１段目の曲がり部３２から２段目の曲がり部３４へ向かう方向ｂとが成す角度αが９０度以下に設定されており、係止部２６と腰曲がり２０との間には、ワーム１２に当接する当接部２８を有するずれ防止部３０が軸１８を曲げることによって形成されている。【選択図】図１
2008043322.tif 000002
【特許請求の範囲】
【請求項１】
釣り糸が結着される結着部と針先との間に、軸と、腰曲がりと、底ささえと、先曲がりとが形成されており、前記結着部の近傍には、前記軸を２段階に曲げることによって係止部が形成されており、前記係止部にワームの一方端部が係止され、前記底ささえまたは前記先曲がりに前記ワームの中央部または他方端部が係止される、ワーム用釣り針において、
前記結着部から前記係止部の１段目の曲がり部へ向かう方向と前記１段目の曲がり部から２段目の曲がり部へ向かう方向とが成す角度が９０度以下に設定されており、前記係止部と前記腰曲がりとの間には、前記ワームに当接する当接部を有するずれ防止部が前記軸を曲げることによって形成されていることを特徴とする、ワーム用釣り針。
【請求項２】
前記結着部と前記底ささえとを通過する基準線を想定したとき、前記当接部が前記２段目の曲がり部よりも前記基準線側に配置されている、請求項１記載のワーム用釣り針。
【発明の詳細な説明】
【技術分野】
【０００１】
本発明は、ワームの「ずれ」を防止する機能を有する、ワーム用釣り針に関する。
【背景技術】
【０００２】
ルアーフィッシングに用いられる擬餌には、メタルジグ、スピナーベイトまたはワーム等のような様々な種類のものが存在するが、これらのうちワームは、ゴム弾性を示す脆弱な材料で形成されていることから、耐久性に欠けるという欠点を有している。そのため、ワームとワーム用釣り針とは、別々に市販されており、ワーム用釣り針にワームを取り付ける作業は、釣り人が行うことになる。そして、ワームが傷んだときには、釣り人が適宜これを取り替えることになる。
【０００３】
従来の一般的なワーム用釣り針１は、図７に示すように、軸２の端部に形成された略Ｌ字状の係止部３を有しており、使用時には、この係止部３にワーム４の一方端部が係止されるとともに、底ささえ５にワーム４の中央部または他方端部が係止される（特許文献１参照）。したがって、ワーム用釣り針１によれば、係止部３と底ささえ５とによってワーム４を自然な状態で保持することができ、ワーム４をあたかも生餌のように自然に挙動させることができる。
【特許文献１】特開平１１−１１３４４６号（図１、図４）
【発明の開示】
【発明が解決しようとする課題】
【０００４】
従来のワーム用釣り針１（特許文献１）では、係止部３によってワーム４の一方端部を係止できるものの、ワーム４の「ずれ」を積極的に阻止する構成ではないため、ワーム４の「ずれ」を確実に防止することができなかった。したがって、「スキッピング」のようなワーム４が水面に激しく衝突するキャスティング法を用いた場合には、図７中の二点鎖線で示すように、水面から受ける衝撃によってワーム４が懐６の奥側へ押し込まれ、ワーム４の自然な挙動が損なわれて釣果が落ちるおそれがあった。
【０００５】
それゆえに、本発明の主たる課題は、ワームの「ずれ」を確実に防止することによって釣果を飛躍的に高めることのできる、ワーム用釣り針を提供することである。
【課題を解決するための手段】
【０００６】
請求項１に記載した発明は、「釣り糸が結着される結着部１４と針先１６との間に、軸１８と、腰曲がり２０と、底ささえ２２と、先曲がり２４とが形成されており、前記結着部１４の近傍には、前記軸１８を２段階に曲げることによって係止部２６が形成されており、前記係止部２６にワーム１２の一方端部が係止され、前記底ささえ２２または前記先曲がり２４に前記ワーム１２の中央部または他方端部が係止される、ワーム用釣り針１０において、前記結着部１４から前記係止部２６の１段目の曲がり部３２へ向かう方向ａと前記１段目の曲がり部３２から２段目の曲がり部３４へ向かう方向ｂとが成す角度αが９０度以下に設定されており、前記係止部２６と前記腰曲がり２０との間には、前記ワーム１２に当接する当接部２８を有するずれ防止部３０が前記軸１８を曲げることによって形成されていることを特徴とする、ワーム用釣り針１０」である。
【０００７】
この発明では、結着部１４から係止部２６の１段目の曲がり部３２へ向かう方向ａと１段目の曲がり部３２から２段目の曲がり部３４へ向かう方向ｂとが成す角度αが９０度以下に設定されているので、係止部２６の形状が略フック状となる。したがって、係止部２６に係止されたワーム１２の一方端部が簡単にずれることはない。また、係止部２６と腰曲がり２０との間にはワーム１２に当接する当接部２８を有するずれ防止部３０が形成されているので、ワーム１２が水面３８等から衝撃を受けた場合でも、ワーム１２が懐３６の奥側へずれることはない。
【０００８】
請求項２に記載した発明は、請求項１に記載した「ワーム用釣り針１０」において、「前記結着部１４と前記底ささえ２２とを通過する基準線Ｌを想定したとき、前記当接部２８が前記２段目の曲がり部３４よりも前記基準線Ｌ側に配置されている」ことを特徴とする。
【０００９】
この発明では、当接部２８が２段目の曲がり部３４よりも基準線Ｌ側に配置されているので、ワーム１２の一方端部が２段目の曲がり部３４に到るよりも先にワーム１２の中央部が当接部２８に当接することになる。したがって、ワーム１２の一方端部が２段目の曲がり部３４を越えてずれていくのを効果的に阻止できる。
【００１０】
なお、「ワーム用釣り針１０」を構成する各部位の英語名は、以下の通りである。「結着部」→「（line）eye」、「針先」→「(hook)point」、「軸」→「(straight)shank」、「腰曲がり」→「(upper)bend」、「底ささえ」→「(heel  of)  bend」、「先曲がり」→「throat」、「懐」→「gape」。
【発明の効果】
【００１１】
請求項１および２に記載した発明によれば、ワーム１２の「ずれ」を確実に防止することができるので、ワーム１２を常に自然に挙動させることが可能となり、釣果を飛躍的に高めることができる。また、「スキッピング」のようなワーム１２が水面３８（図３）に激しく衝突するキャスティング法を用いる場合でも、ワーム１２の「ずれ」が生じ難いので、安定した釣果を期待できる。
【発明を実施するための最良の形態】
【００１２】
図１は、本発明が適用されたワーム用釣り針１０を示す正面図および側面図である。このワーム用釣り針１０は、図２に示すように、１つの線状のワーム１２を直線状に延ばした状態で係止するワーム専用の釣り針である。
【００１３】
ここで、ワーム１２（図２）は、一般に市販されているゴム状弾性を示す擬餌であり、イソメまたはゴカイ等の生餌を模した形状、サイズおよび色彩のものや、天然では存在しない形状、サイズおよび色彩のものが、釣り対象となる魚の種類または自然条件等に応じて適宜使い分けられる。
【００１４】
ワーム用釣り針１０は、図１に示すように、釣り糸（図示省略）が結着される結着部１４と針先１６とを有しており、結着部１４と針先１６との間には、軸１８と、腰曲がり２０と、底ささえ２２と、先曲がり２４とが同一面内において形成されている。そして、結着部１４の近傍には、軸１８を２段階に曲げることによって係止部２６が形成されており、係止部２６と腰曲がり２０との間には、軸１８を曲げることによってワーム１２に当接する当接部２８を有するずれ防止部３０が形成されている。
【００１５】
係止部２６は、１段目の曲線状の曲がり部（以下、「１段目の曲がり部」という。）３２と、２段目の曲線状の曲がり部（以下、「２段目の曲がり部」という。）３４と、結着部１４から１段目の曲がり部３２へ到る直線状の軸部１８ａと、１段目の曲がり部３２から２段目の曲がり部３４へ到る直線状の軸部１８ｂとによって構成されており、結着部１４から１段目の曲がり部３２へ向かう方向ａと１段目の曲がり部３２から２段目の曲がり部３４へ向かう方向ｂとが成す角度αは、９０度以下に設定されている。換言すると、軸部１８ａが延びる方向ａと軸部１８ｂが延びる方向ｂとが成す角度αは、９０度以下に設定されている。したがって、係止部２６の形状は、ワーム１２の一方端部（上端部）を係止するのに適した略フック状となる。
【００１６】
結着部１４と底ささえ２２とを通過する基準線Ｌ（図１）を想定したとき、係止部２６の軸部１８ａは、基準線Ｌと略平行に配置されており、１段目の曲がり部３２は、基準線Ｌよりも腰曲がり２０側へ曲げられている。したがって、ワーム１２の一方端部を係止部２６の軸部１８ａに係止し、かつ、ワーム１２の中央部を底ささえ２２または先曲がり２４に係止した際には、係止部２６の１段目の曲がり部３２がワーム１２の内部に配置されるとともに、軸部１８ｂがワーム１２の内部から腰曲がり２０側の外部へ引き出され、２段目の曲がり部３４がワーム１２の腰曲がり２０側の外部に配置されることになる。したがって、係止部２６に係止されたワーム１２の一方端部（上端部）においては、軸部１８ａによって左右方向への「ずれ」が防止されるとともに、軸部１８ｂによって上下方向への「ずれ」が防止されることになる。
【００１７】
ずれ防止部３０は、直線状の上側軸部１８ｃと、曲線状の当接部２８と、直線状の下側軸部１８ｄとによって、基準線Ｌ側へ凸となるように折れ曲がった屈曲線状に構成されている。当接部２８は、ワーム１２に当接することによって、ワーム１２が懐３６の奥側へずれるのを阻止するものであり、ワーム用釣り針１０における当接部２８の相対的な位置は、係止部２６の２段目の曲がり部３４よりも基準線Ｌ側であって、かつ、１段目の曲がり部３２よりも腰曲がり２０側に設定されている。
【００１８】
当接部２８が２段目の曲がり部３４よりも基準線Ｌ側に配置されているのは、ワーム１２の一方端部が横にずれて２段目の曲がり部３４に到るよりも先にワーム１２の中央部を当接部２８に当接させることによって、ワーム１２の一方端部が２段目の曲がり部３４を越えてずれていくのを確実に阻止するためである。一方、当接部２８が１段目の曲がり部３２よりも腰曲がり２０側に配置されているのは、当接部２８とワーム１２とが不所望に干渉するのを避けることによって、ワーム１２の自然な形状（直線状）が損なわれるのを防止するためである。
【００１９】
ワーム用釣り針１０（図１）にワーム１２を取り付ける際には、ワーム用釣り針１０の針先１６をワーム１２の一方端部（上端部）に略Ｌ字状に貫通させ、この針先１６をさらにワーム１２の中央部または他方端部に貫通させる。そして、ワーム１２の形状が自然な形状（直線状）になるように、ワーム１２の一方端部を係止部２６に位置決めするとともに、ワーム１２の中央部または他方端部を底ささえ２２の所定箇所に位置決めする。なお、ワーム１２の中央部または他方端部においては、針先１６を貫通させることなく、これをワーム１２の内部に埋め込むようにしてもよい。この場合、ワーム１２の中央部または他方端部は、先曲がり２４に係止されることになる。
【００２０】
ワーム１２を用いたルアーフィッシングにおいては、「ワーム用釣り針１０およびワーム１２」すなわち「仕掛け」をポイントに的確に投入できるか否かによって釣果が著しく変わってくる。そのため、釣り人は、様々なキャスティング法を駆使して、釣果を上げる努力をすることになる。たとえば、図３に示すように、水面３８上に障害物４０が存在する場合には、「スキッピング」と呼ばれるキャスティング法を用いて、釣竿から飛ばされた「仕掛け」を水面３８でバウンドさせながら障害物４０の下方のポイントＰに投入することが試みられる。「スキッピング」を用いた場合には、「仕掛け」が水面３８でバウンドする際にワーム１２が水面３８から強い衝撃を受けるが、本実施例のワーム用釣り針１０によれば、係止部２６とずれ防止部３０とによってワーム１２の「ずれ」を確実に防止できるので、ワーム１２が衝撃によって不所望に変形されることはなく、ワーム１２を水中において自然に挙動させることができる。
【００２１】
なお、上述の実施例では、係止部２６を構成する軸部１８ａおよび１８ｂならびにずれ防止部３０を構成する上側軸部１８ｃおよび下側軸部１８ｄが直線状に形成されているが、これらは所定の曲率を有する曲線状に形成されてもよい。また、上述の実施例では、ずれ防止部３０を構成する当接部２８が曲線状に形成されているが、この当接部２８は、図４に示すように、２つの曲線状の曲がり部４２および４４に挟まれた直線状に形成されてもよい。
【００２２】
そして、上述の実施例では、ずれ防止部３０を構成する上側軸部１８ｃが係止部２６を構成する２段目の曲がり部３４と連続して形成されているが、上側軸部１８ｃと２段目の曲がり部３４との間には、図５に示すように、基準線Ｌと略平行な直線状の軸部１８ｅが形成されてもよいし、基準線Ｌに対して所定角度で傾斜する直線状の軸部（図示省略）や、所定の曲率で湾曲した曲線状の軸部（図示省略）が形成されてもよい。
【００２３】
さらに、上述の実施例では、ずれ防止部３０を構成する当接部２８の位置が、係止部２６を構成する２段目の曲がり部３４よりも基準線Ｌ側に設定されているが、太めのワーム１２を用いる場合には、図６に示すように、当接部２８から基準線Ｌまでの距離と、２段目の曲がり部３４から基準線Ｌまでの距離とをほぼ同じに設定してもよい。この場合でも、ワーム１２の一方端部が横にずれて２段目の曲がり部３４に到るよりも先にワーム１２の中央部を当接部２８に当接させることができるので、ワーム１２の一方端部が２段目の曲がり部３４を越えてずれていくのを確実に阻止できる。なお、図６実施例では、図１実施例に比べて、当接部２８が基準線Ｌから離間した位置にあるので、上側軸部１８ｃが基準線Ｌと略平行になっている。したがって、図６実施例では、当接部２８だけでなく上側軸部１８ｃもワーム１２に当接する「当接部」となる。
【図面の簡単な説明】
【００２４】
【図１】ワーム用釣り針を示す正面図および側面図
【図２】図１実施例の使用状態を示す正面図
【図３】図１実施例を用いたキャスティング法（スピッキング）を示す図
【図４】他のワーム用釣り針（当接部２８が直線状）を示す正面図
【図５】他のワーム用釣り針（軸部１８ｅあり）を示す正面図
【図６】他のワーム用釣り針（上側軸部も当接部となる）を示す正面図
【図７】従来のワーム用釣り針を示す正面図
【符号の説明】
【００２５】
１０…  ワーム用釣り針
１２…  ワーム
１４…  結着部
１６…  針先
１８…  軸
１８ａ，１８ｂ，１８ｅ…  軸部
１８ｃ…  上側軸部
１８ｄ…  下側軸部
２０…  腰曲がり
２２…  底ささえ
２４…  先曲がり
２６…  係止部
２８…  当接部
３０…  ずれ防止部
３２…  １段目の曲がり部
３４…  ２段目の曲がり部
３６…  懐
３８…  水面
４０…  障害物
４２，４４…  曲がり部
【図１】
2008043322.tif 000003
【図２】
2008043322.tif 000004
【図３】
2008043322.tif 000005
【図４】
2008043322.tif 000006
【図５】
2008043322.tif 000007
【図６】
2008043322.tif 000008
【図７】
2008043322.tif 000009